(57)【要約】【課題】コネクタハウジング内で該コネクタハウジングに対して相対的に振動することを防止して、相手側の端子金具との電気的な接続を安定させることを可能にする雌型の端子金具及び該雌型の端子金具を備えたコネクタを提供する。【解決手段】コネクタ１はコネクタハウジング２と雌端子３を備えている。コネクタハウジング２には端子収容室５が設けられている。雌端子３は電気接触部１１を備えている。電気接触部１１は内側接触部１５と外側押圧部材１６を備えている。内側接触部１５は雄端子の雄タブが侵入して該雄端子と電気的に接続する。外側押圧部材１６は内側接触部１５の外周に嵌合する。外側押圧部材１６には押圧片２８が設けられている。押圧片２８は端子収容室５の長手方向に直交する方向に沿って該端子収容室５の内面を押圧する。【選択図】図１
2006294513.tif 000002
【特許請求の範囲】
【請求項１】
コネクタハウジングの端子収容室内に収容されて、相手側の端子金具の挿入子と電気的に接続する電気接触部を備えた雌型の端子金具において、
前記電気接触部は、
前記挿入子が侵入する筒状の筒部と、
弾性変形自在で、かつ前記筒部の外面から外方向に凸に形成されているとともに、前記端子収容室内に前記筒部が収容されると弾性変形して該端子収容室の内面を前記挿入子の長手方向に直交する方向に沿って押圧する押圧部と、を備えたことを特徴とする雌型の端子金具。
【請求項２】
前記電気接触部は、前記挿入子と接触する接点を備え、
前記押圧部は、前記挿入子の長手方向に直交する方向に沿って、前記接点と並設される位置に設けられていることを特徴とする請求項１記載の雌型の端子金具。
【請求項３】
前記押圧部は、一対設けられ、
これら一対の押圧部は、互いの間に前記接点を位置付ける位置に設けられていることを特徴とする請求項２記載の雌型の端子金具。
【請求項４】
前記押圧部は、長手方向の両端が前記筒部に連なり、かつ長手方向の中央部が前記端子収容室の内面を押圧することを特徴とする請求項１ないし請求項３のうちいずれか一項に記載の雌型の端子金具。
【請求項５】
前記押圧部の長手方向は、前記挿入子の長手方向と平行に配されていることを特徴とする請求項４記載の雌型の端子金具。
【請求項６】
前記電気接触部の筒部には、該筒部内に前記挿入子を導く導入口を備え、
前記導入口の厚みは、前記挿入子の厚みと等しいことを特徴とする請求項１ないし請求項５のうちいずれか一項に記載の雌型の端子金具。
【請求項７】
請求項１ないし請求項６のうちいずれか一項に記載の雌型の端子金具と、
前記雌型の端子金具を収容する端子収容室が設けられたコネクタハウジングと、を備えたことを特徴とするコネクタ。
【発明の詳細な説明】
【技術分野】
【０００１】
本発明は、自動車などに配索されるワイヤハーネスを構成する端子金具及びコネクタに関する。
【背景技術】
【０００２】
移動体としての自動車には、多種多様な電子機器が搭載される。前記自動車は、前記電子機器に電力や制御信号などを伝えるために、ワイヤハーネスを配索している。ワイヤハーネスは、複数の電線と、コネクタ（例えば、特許文献１参照）と、を備えている。電線は、導電性の芯線と、該芯線を被覆する絶縁性の被覆部と、を備えた所謂被覆電線である。
【０００３】
特許文献１に示されたコネクタは、雌型の端子金具（以下、雌端子と記す）と、コネクタハウジングとを備えている。雌端子は、導電性の板金などからなり、電線接続部と電気接触部とを備えている。電線接続部には、前述の電線が電気的及び機械的に接続される。電気接触部は、コネクタに嵌合する相手側のコネクタの端子金具の電気接触部と電気的及び機械的に接続する。
【０００４】
コネクタハウジングは、絶縁性の合成樹脂からなり筒状に形成されている。コネクタハウジングは、端子金具を収容する端子収容室が設けられている。端子収容室は、直線状に延びた孔（空間）である。
【０００５】
前述した雌端子とコネクタハウジングとのうち一方には、係止片が設けられている。係止片が、他方に係止することで、雌端子が端子収容室内に収容された格好で、コネクタハウジングに雌端子が固定される。
【０００６】
前述したコネクタ即ちワイヤハーネスは、以下のように組み立てられる。まず、雌端子の電線接続部に電線が取り付けられた後、該雌端子を端子収容室の長手方向に沿って該端子収容室内に挿入する。そして、係止片が前述した他方に係止する。こうして、コネクタ即ちワイヤハーネスが組み立てられる。
【０００７】
そして、ワイヤハーネスは、前述したコネクタが自動車などに装備される電子機器のコネクタと嵌合するなどして、自動車に配索されて、各電子機器に所望の電力や信号を供給する。
【特許文献１】特開２００４−５５２３３号公報
【発明の開示】
【発明が解決しようとする課題】
【０００８】
前述した特許文献１などに示された従来のコネクタは、雌端子を端子収容室の長手方向に沿って該端子収容室内に挿入するため、端子収容室に内面と雌端子との間にガタが生じる。即ち、雌端子が、端子収容室内で、特に該端子収容室の長手方向に直交する方向に沿って、移動自在となっていた（がたつくこととなっていた）。
【０００９】
このため、前述したワイヤハーネスが自動車などに配索されると、該自動車の走行中の振動により、雌端子がコネクタハウジングに対して相対的に振動して、雌端子と相手側の端子金具との接点同士が位置ずれを繰り返して、該接点が所謂フレッチング腐食などを生じて、雌端子と相手側の端子金具との間の電気的な接続が不安定になることがあった。
【００１０】
したがって、本発明の目的は、コネクタハウジング内で該コネクタハウジングに対して相対的に振動することを防止して、相手側の端子金具との電気的な接続を安定させることを可能にする雌型の端子金具及び該雌型の端子金具を備えたコネクタを提供することにある。
【課題を解決するための手段】
【００１１】
前述した課題を解決し目的を達成するために、請求項１に記載の本発明の雌型の端子金具は、コネクタハウジングの端子収容室内に収容されて、相手側の端子金具の挿入子と電気的に接続する電気接触部を備えた雌型の端子金具において、前記電気接触部は、前記挿入子が侵入する筒状の筒部と、弾性変形自在で、かつ前記筒部の外面から外方向に凸に形成されているとともに、前記端子収容室内に前記筒部が収容されると弾性変形して該端子収容室の内面を前記挿入子の長手方向に直交する方向に沿って押圧する押圧部と、を備えたことを特徴している。
【００１２】
請求項２に記載の本発明の雌型の端子金具は、請求項１に記載の雌型の端子金具において、前記電気接触部は、前記挿入子と接触する接点を備え、前記押圧部は、前記挿入子の長手方向に直交する方向に沿って、前記接点と並設される位置に設けられていることを特徴としている。
【００１３】
請求項３に記載の本発明の雌型の端子金具は、請求項２に記載の雌型の端子金具において、前記押圧部は、一対設けられ、これら一対の押圧部は、互いの間に前記接点を位置付ける位置に設けられていることを特徴としている。
【００１４】
請求項４に記載の本発明の雌型の端子金具は、請求項１ないし請求項３のうちいずれか一項に記載の雌型の端子金具において、前記押圧部は、長手方向の両端が前記筒部に連なり、かつ長手方向の中央部が前記端子収容室の内面を押圧することを特徴としている。
【００１５】
請求項５に記載の本発明の雌型の端子金具は、請求項４に記載の雌型の端子金具において、前記押圧部の長手方向は、前記挿入子の長手方向と平行に配されていることを特徴としている。
【００１６】
請求項６に記載の本発明の雌型の端子金具は、請求項１ないし請求項５のうちいずれか一項に記載の雌型の端子金具において、前記電気接触部の筒部には、該筒部内に前記挿入子を導く導入口を備え、前記導入口の厚みは、前記挿入子の厚みと等しいことを特徴としている。
【００１７】
請求項７に記載の本発明のコネクタは、請求項１ないし請求項６のうちいずれか一項に記載の雌型の端子金具と、前記雌型の端子金具を収容する端子収容室が設けられたコネクタハウジングと、を備えたことを特徴としている。
【００１８】
請求項１に記載した本発明の雌型の端子金具によれば、押圧部が挿入子即ち端子収容室の長手方向に直交する方向に沿って、端子収容室の内面を押圧する。このため、端子収容室内に収容されると、特に挿入子即ち端子収容室の長手方向に直交する方向に沿って、移動することが規制される。
【００１９】
請求項２に記載した本発明の雌型の端子金具によれば、押圧部が接点と、挿入子即ち端子収容室の長手方向に直交する方向に沿って並設されているので、接点が特に挿入子即ち端子収容室の長手方向に直交する方向に沿って、移動することを確実に規制できる。
【００２０】
請求項３に記載した本発明の雌型の端子金具によれば、押圧部が一対設けられ、これら一対の押圧部間に接点が位置付けられているので、接点が特に挿入子即ち端子収容室の長手方向に直交する方向に沿って、移動することをより確実に規制できる。
【００２１】
請求項４に記載した本発明の雌型の端子金具によれば、長手方向の両端が筒部に連なり長手方向の中央部が端子収容室の内面を押圧するので、押圧部が、端子収容室の内面を、挿入子即ち端子収容室の長手方向に直交する方向に沿って、確実に押圧できる。
【００２２】
請求項５に記載した本発明の雌型の端子金具によれば、押圧部の長手方向が挿入子即ち端子収容室の長手方向と平行なので、端子収容室に挿入する際に、押圧部が端子収容室の内面などに引っ掛かることを防止できる。
【００２３】
請求項６に記載した本発明の雌型の端子金具によれば、雌端子の導入口の厚みが挿入子の厚みと等しいので、雌端子の筒部内に侵入した挿入子が、雌端子に対して移動することが確実に規制される。
【００２４】
請求項７に記載した本発明のコネクタによれば、雌型の端子金具の押圧部が挿入子即ち端子収容室の長手方向に直交する方向に沿って、端子収容室の内面を押圧する。このため、特に挿入子即ち端子収容室の長手方向に直交する方向に沿って、端子収容室内の雌型の端子金具が移動することを規制できる。
【発明の効果】
【００２５】
以上説明したように、請求項１に記載の本発明は、端子収容室内に収容されると、特に挿入子即ち端子収容室の長手方向に直交する方向に沿って、雌型の端子金具が移動することを規制できる。このため、雌型の端子金具がコネクタハウジング内で該コネクタハウジングに対して相対的に振動（移動）することを防止でき、雌型の端子金具と相手側の端子金具との電気的な接続を安定させることができる。
【００２６】
請求項２に記載の本発明は、接点が特に挿入子即ち端子収容室の長手方向に直交する方向に沿って移動することを確実に規制できる。このため、雌型の端子金具と相手側の端子金具と接点がコネクタハウジングに対して相対的に振動（移動）することを規制でき、相手側の端子金具との電気的な接続を安定させることができる。
【００２７】
請求項３に記載の本発明は、接点が特に挿入子即ち端子収容室の長手方向に直交する方向に沿って、移動することをより確実に規制できる。このため、雌型の端子金具と相手側の端子金具と接点がコネクタハウジングに対して相対的に振動（移動）することをより規制でき、相手側の端子金具との電気的な接続をより安定させることができる。
【００２８】
請求項４に記載の本発明は、押圧部が、端子収容室の内面を、挿入子即ち端子収容室の長手方向に直交する方向に沿って、確実に押圧できる。このため、特に挿入子即ち端子収容室の長手方向に直交する方向に沿って、雌型の端子金具が移動することを確実に規制できる。
【００２９】
請求項５に記載の本発明は、端子収容室に挿入する際に、押圧部が端子収容室の内面などに引っ掛かることを防止できる。このため、雌端子を容易にコネクタハウジング内に挿入できる。
【００３０】
請求項６に記載の本発明は、雌型の端子金具の筒部内に侵入した挿入子が、雌型の端子金具に対して移動することを確実に規制できる。このため、雌型の端子金具と相手側の端子金具と接点がコネクタハウジングに対して相対的に振動（移動）することをより確実に規制でき、相手側の端子金具との電気的な接続を安定させることができる。
【００３１】
請求項７に記載の本発明は、請求項１ないし請求項６のうちいずれかに記載の雌型の端子金具を備えているので、雌型の端子金具がコネクタハウジング内で該コネクタハウジングに対して相対的に振動（移動）することを防止でき、雌型の端子金具と相手側の端子金具との電気的な接続を安定させることができる。
【発明を実施するための最良の形態】
【００３２】
本発明の一実施形態にかかる雌型の端子金具及びコネクタを、図１ないし図９を参照して説明する。
【００３３】
本発明の一実施形態にかかるコネクタ１は、図１に示すように、コネクタハウジング２と、複数の雌型の端子金具（以下、単に雌端子と記し、図１には、一本のみ示し、他を省略す）３とを備えている。なお、図１において、以下、後述の電線４の長手方向を奥行き方向と呼び、矢印Ｙで示す。奥行き方向Ｙは、挿入子としての雄タブ２４の長手方向をなしている。奥行き方向Ｙと直交しかつ複数の後述する端子収容室５が並ぶ方向を幅方向と呼び、矢印Ｘで示す。幅方向Ｘは、挿入子としての雄タブ２４の長手方向に直交する方向をなしている。奥行き方向Ｙと幅方向Ｘとの双方に直交する方向を厚み方向と呼び、矢印Ｚで示す。厚み方向Ｚは、挿入子としての雄タブ２４の長手方向に直交する方向をなしている。また、本発明では、前述した奥行き方向Ｙの各部の寸法を奥行きと呼び、幅方向Ｘの各部の寸法を幅と呼び、厚み方向Ｚの各部の寸法を厚みと呼ぶ。
【００３４】
コネクタハウジング２は、絶縁性の合成樹脂からなり筒状（箱状）に形成されている。コネクタハウジング２内には、複数の端子収容室５と、ロックアーム６とが設けられている。端子収容室５は、直線状に延びた空間（孔）である。端子収容室５の長手方向は、前述した奥行き方向Ｙと平行である。複数の端子収容室５は、互いに平行に配されている。端子収容室５の両端は、コネクタハウジング２の外表面に開口している。ロックアーム６は、相手側のコネクタのコネクタハウジングと嵌合する。
【００３５】
雌端子３は、後述の電線接続部１０に電線４が取り付けられて、端子収容室５内に収容される。そして、雌端子３は、電線４の芯線即ち該電線４と電気的に接続する。電線４は、図１ないし図３に示すように、導電性の芯線７と、絶縁性の被覆部８とを備えている。芯線７は、複数の素線が束ねられて構成されている。素線は、銅などの金属からなる。被覆部８は、絶縁性の合成樹脂からなり、芯線７を被覆している。
【００３６】
雌端子３は、図１に示すように、電線接続部１０と、電気接触部１１とを備えている。電線接続部１０は、導電性の板金からなり、平板状の底板１２と、一対の芯線かしめ片１３と、一対の被覆かしめ片１４とを一体に備えている。底板１２は、平面形状が矩形状に形成されている。一対の芯線かしめ片１３は、底板１２の長手方向の中央部に設けられている。芯線かしめ片１３は、底板１２の幅方向の両縁から立設している。芯線かしめ片１３は、底板１２から離れた側の縁が底板１２に近づくように曲げられて、芯線７を底板１２との間に挟んで、該芯線７をかしめる。
【００３７】
被覆かしめ片１４は、底板１２の長手方向の一端部に設けられている。被覆かしめ片１４は、底板１２の幅方向の両縁から立設している。被覆かしめ片１４は、底板１２から離れた側の縁が底板１２に近づくように曲げられて、被覆部８即ち電線４を底板１２との間に挟んで、該電線４をかしめる。
【００３８】
電線接続部１０は、芯線かしめ片１３が芯線７をかしめ、被覆かしめ片１４が被覆部８をかしめて、電線４と電気的及び機械的に接続される。電線接続部１０の長手方向と、該電線接続部１０に接続される電線４の長手方向とは、平行である。
【００３９】
電気接触部１１は、図２及び図６に示すように、内側接触部１５と、外側押圧部材１６と、を備えている。内側接触部１５は、前述した電線接続部１０と一体に形成され、勿論導電性の板金を折り曲げるなどして形成されている。内側接触部１５は、内側筒状部１７と、内側筒状部１７に一体に設けられた一対の導入片１８と、内側筒状部１７に一体に設けられた一対の接触片１９とを備えている。
【００４０】
内側筒状部１７は、底板２０と、該底板２０の両端から立設した格好の一対の側板２１と、一方の側板２１に連なりかつ底板２０と平行な天井板２２とを備えて、（四）角筒状に形成されている。底板２０は、前述した電線接続部１０の底板１２に連なっている。内側筒状部１７即ち電気接触部１１と電線接続部１０とは、電線接続部１０に取り付けられる電線４の長手方向に沿って、互いに並設されているとともに、それぞれの長手方向が前記電線４の長手方向と平行に配されている。
【００４１】
一対の導入片１８のうちの一方の導入片１８は、底板２０の電線接続部１０から離れた側の縁に連なり、該底板２０から天井板２２に向かって延在した後、底板２０と平行に電線接続部１０に向かって延在している。他方の導入片１８は、天井板２２の電線接続部１０から離れた側の縁に連なり、該天井板２２から底板２０に向かって延在した後、天井板２２と平行に電線接続部１０に向かって延在している。一対の導入片１８は、互いの間を通して、雌端子３と接続する相手側の端子金具としての雄型の端子金具（以下、単に雄端子と記し、図３に示す）２３の挿入子としての雄タブ２４が内側筒状部１７内に侵入することを許容する。このように、一対の導入片１８間の空間は、内側筒状部１７内に雄タブ２４を導く導入口２５をなしている。なお、雄端子２３の構成は、後ほど説明する。
【００４２】
一対の導入片１８間の間隔Ｄ１は、雄タブ２４の弾性変形していない中立状態での前述した厚み方向Ｚの厚みＴ１と等しい。なお、一対の導入片１８間の間隔Ｄ１は、導入口２５の厚み方向Ｚの厚みをなしている。
【００４３】
一対の接触片１９のうちの一方の接触片１９は、底板２０に一体に形成されている。一方の接触片１９は、長手方向が前述した奥行き方向Ｙと平行な帯板状に形成されている。一方の接触片１９は、長手方向の両端が底板２０に連なりかつ長手方向の中央部が両端より天井板２２に近づくように曲げられている。また、一方の接触片１９の長手方向の中央部は、奥行き方向Ｙに沿って、平坦に形成されている。一方の接触片１９は、長手方向の中央部が他方の接触片１９から離れるように、弾性変形自在となっている。
【００４４】
一対の接触片１９のうちの他方の接触片１９は、天井板２２に一体に形成されている。他方の接触片１９は、一方の接触片１９と厚み方向Ｚに沿って相対している。他方の接触片１９は、長手方向が前述した奥行き方向Ｙと平行な帯板状に形成されている。他方の接触片１９は、長手方向の両端が天井板２２に連なりかつ長手方向の中央部が両端より底板２０に近づくように曲げられている。
【００４５】
また、他方の接触片１９の長手方向の中央部は、奥行き方向Ｙに沿って、略平坦に形成されている。他方の接触片１９は、長手方向の中央部が一方の接触片１９から離れるように、弾性変形自在となっている。さらに、他方の接触片１９の長手方向の中央部には、一方の接触片１９に向かって凸に形成された接触凸部２６が設けられている。接触凸部２６は、雄タブ２４と接触する接点をなしている。
【００４６】
一方の接触片１９の中央部と他方の接触片１９に設けられた接触凸部２６との間隔Ｄ２即ち一対の接触片１９間の間隔Ｄ２は、前述した中立状態の雄タブ２４の厚みＴ１より若干小さい。また、一対の接触片１９間の空間は、前述した一対の導入片１８間の空間即ち導入口２５と、奥行き方向Ｙに沿って、並べられている。
【００４７】
一対の接触片１９間には、内側筒状部１７に侵入した雄タブ２４が侵入する。一対の接触片１９は、互いに間に雄タブ２４が侵入すると、互いに離れるように弾性変形する。そして、一対の接触片１９は、弾性復元力を生じて、互いの間に雄タブ２４を挟む。一対の接触片１９が雄タブ２４を挟むことで、電気接触部１１即ち雌端子３は、雄タブ２４即ち雄端子２３と電気的に接続する。
【００４８】
外側押圧部材１６は、内側接触部１５即ち電線接続部１０と別体に形成されている。外側押圧部材１６は、筒状部２７と、一対の押圧片２８と、を備えている。
【００４９】
筒状部２７は、底板２９と、該底板２９の両端から立設した格好の一対の側板３０と、一対の側板３０に連なりかつ底板２９と平行な天井板３１とを備えて、（四）角筒状に形成されている。筒状部２７は、内側筒状部１７の外側に嵌合可能な大きさに形成されている。
【００５０】
一対の押圧片２８は、特許請求の範囲に記した押圧部をなしている。一対の押圧片２８のうちの一方の押圧片２８は、底板２９に一体に形成されている。一方の押圧片２８は、長手方向が前述した奥行き方向Ｙと平行な帯板状に形成されている。一方の押圧片２８は、長手方向の両端が底板２９に連なりかつ長手方向の中央部が両端より天井板３１から離れるように（即ち、底板２９より外側押圧部材１６の筒状部２７の外側に位置するように曲げられている。このように、一方の押圧片２８は、後述の筒部３２の外面から外方向に凸に形成されている。また、一方の押圧片２８の長手方向の中央部は、奥行き方向Ｙに沿って、平坦に形成されている。一方の押圧片２８は、長手方向の中央部が他方の押圧片２８に近づくように、弾性変形自在となっている。
【００５１】
一対の押圧片２８のうちの他方の押圧片２８は、天井板３１に一体に形成されている。他方の押圧片２８は、一方の押圧片２８と厚み方向Ｚに沿って、並設されている。他方の押圧片２８は、長手方向が前述した奥行き方向Ｙと平行な帯板状に形成されている。他方の押圧片２８は、長手方向の両端が天井板３１に連なりかつ長手方向の中央部が両端より底板２９から離れるように（即ち、天井板３１より外側押圧部材１６の筒状部２７の外側に位置するように曲げられている。このように、他方の押圧片２８は、後述の筒部３２の外面から外方向に凸に形成されている。また、他方の押圧片２８の長手方向の中央部は、奥行き方向Ｙに沿って、略平坦に形成されている。さらに、他方の押圧片２８は、長手方向の中央部が一方の押圧片２８に近づくように、弾性変形自在となっている。
【００５２】
一方の押圧片２８の中央部の外表面と他方の押圧片２８の中央部の外表面との厚み方向Ｚの間隔Ｄ３は、前述した端子収容室５の厚み方向Ｚの寸法Ｔ２（図８に示す）より若干大きい。前記間隔Ｄ３は、外側押圧部材１６即ち雌端子３の厚み方向Ｚの厚みである。また、端子収容室５の厚み方向Ｚの寸法Ｔ２は、端子収容室５の厚み方向Ｚの厚みである。一対の押圧片２８の電線接続部１０より離れた側の端部２８ａ即ち先端部は、電線接続部１０に向かうにしたがって徐々に外側押圧部材１６の筒状部２７の外方向に向かって傾斜している。
【００５３】
さらに、一対の押圧片２８は、厚み方向Ｚに沿って、互いの間に接触凸部２６を位置付けている。このため、一対の押圧片２８は、雄タブ２４の長手方向に直交する厚み方向Ｚに沿って、接触凸部２６と並設される位置に設けられている。
【００５４】
前述した一対の押圧片２８は、図７及び図８に示すように、外側押圧部材１６が内側筒状部１７の外周に嵌合した状態で、コネクタハウジング２の端子収容室５内に挿入される。すると、一対の押圧片２８は、中央部が互いに近づく方向に弾性変形する。すると、押圧片２８は、弾性復元力を生じて、厚み方向Ｚ即ち奥行き方向Ｙと雄タブ２４の長手方向との双方に直交する方向に沿って、端子収容室５の内面を押圧する。
【００５５】
前述した内側筒状部１７と、外側押圧部材１６の筒状部２７とは、挿入子としての雄タブ２４が侵入する特許請求の範囲に記載された筒部３２を構成している。
【００５６】
また、前述した雌端子３とコネクタハウジング２とのうち一方には、他方に係止する図示しない係止片が設けられている。係止片は、雌端子３に設けられている場合には、例えば内側筒状部１７から該内側筒状部１７の外側に向かって延在する。係止片は、コネクタハウジング２に設けられている場合には、端子収容室５毎に設けられ、該端子収容室５の内面から該端子収容室５の内側に向かって延在する。
【００５７】
前述した雄端子２３は、導電性の板金を折り曲げるなどして形成されており、図３に示すように、電線接続部３３と、電気接触部３４とを一体に備えている。電線接続部３３は、電線４が取り付けられて、該電線４の芯線７と電気的に接続する。
【００５８】
電気接触部３４は、筒状の連結部３５と、雄タブ２４とを一体に備えている。連結部３５は、電線接続部３３に連なっている。雄タブ２４は、連結部３５に連なり、図４に示すように、棒状（即ち、厚みの有る帯板状）に形成されている。
【００５９】
雄タブ２４は、図５に示すように、断面Ｕ字状に形成されている。雄タブ２４は、厚み方向Ｚの厚みＴ１が縮小するように弾性変形自在となっている。雄タブ２４の弾性変形していない中立状態での厚み方向Ｚの厚みＴ１は、前述した導入口２５の厚みＤ１と等しく、弾性変形していない中立状態での一対の接触片１９間の間隔Ｄ２より大きい。
【００６０】
前述した構成の雄端子２３は、コネクタハウジング２と嵌合する図示しない相手側のコネクタのコネクタハウジング内に収容される。
【００６１】
前述した構成のコネクタ１を組み立てる際には、まず、内側筒状部１７の外側に外側押圧部材１６を嵌合させる。そして、雌端子３の電線接続部１０に電線４を取り付ける。そして、雌端子３を、外側押圧部材１６即ち電気接触部１１から端子収容室５内に挿入する。すると、押圧片２８が、前述したように傾斜した先端部２８ａからコネクタハウジング２の端子収容室５内に挿入される。
【００６２】
そして、押圧片２８の中央部が端子収容室５の内面から押圧されて、一対の押圧片２８が互いに近づく方向に、該押圧片２８が弾性変形する。すると、押圧片２８は、厚み方向Ｚ即ち雄タブ２４の長手方向に直交する方向に沿って、端子収容室５の内面を押圧する。さらに、雌端子３を端子収容室５の奥に挿入すると、係止片が前述した他方に係止する。このように、全ての端子収容室５に雌端子３を挿入して、前述した構成のコネクタ１を組み立てる。
【００６３】
一方、電線接続部１０に電線４が取り付けられた雄端子２３を、図示しない相手側のコネクタのコネクタハウジングの端子収容室内に挿入する。前述した相手側のコネクタを組み立てる。
【００６４】
そして、コネクタ１が相手側のコネクタのコネクタハウジング内に侵入するように、コネクタ１と相手側のコネクタとを徐々に近づける。すると、図９に示すように、雄タブ２４がコネクタ１の端子収容室５内に徐々に侵入し、該雄タブ２４が雌端子３の電気接触部１１の導入口２５を通って、一対の接触片１９間に侵入する。すると、一対の接触片１９が互いに離れる方向に弾性変形するとともに、厚みが減少する方向に雄タブ２４が弾性変形する。すると、一対の接触片１９は、互いに近づく方向の弾性復元力を生じて、一対の接触片１９間に雄タブ２４を挟み込む。
【００６５】
そして、ロックアーム６が相手側のコネクタのコネクタハウジングに嵌合する。こうして、コネクタ１は、相手側のコネクタと嵌合して、雌端子３が雄端子２３と電気的及び機械的に接続する。
【００６６】
本実施形態によれば、押圧片２８が雄タブ２４即ち端子収容室５の長手方向に直交する方向に沿って、端子収容室５の内面を押圧する。このため、雌端子３は、端子収容室５内に収容されると、特に雄タブ２４即ち端子収容室５の長手方向に直交する方向に沿って、移動することが規制される。
【００６７】
このため、雌端子３が、コネクタハウジング２内で該コネクタハウジング２に対して相対的に振動（移動）することを防止でき、雌端子３と雄端子２３との電気的な接続を安定させることができる。
【００６８】
押圧片２８が、接点としての接触凸部２６と、雄タブ２４即ち端子収容室５の長手方向に直交する方向に沿って並設されているので、接触凸部２６が特に雄タブ２４即ち端子収容室５の長手方向に直交する方向に沿って、移動することを確実に規制できる。このため、雌端子３と雄端子２３との接点がコネクタハウジング２に対して相対的に振動（移動）することを規制でき、雌端子３と雄端子２３との電気的な接続を安定させることができる。
【００６９】
押圧片２８が一対設けられ、これら一対の押圧片２８間に接点としての接触凸部２６が位置付けられているので、接触凸部２６が特に雄タブ２４即ち端子収容室５の長手方向に直交する方向に沿って、移動することをより確実に規制できる。
【００７０】
長手方向の両端が筒状部２７に連なり長手方向の中央部が端子収容室５の内面を押圧するので、押圧片２８が、端子収容室５の内面を、雄タブ２４即ち端子収容室５の長手方向に直交する方向に沿って、確実に押圧できる。
【００７１】
押圧片２８の長手方向が雄タブ２４即ち端子収容室５の長手方向と平行なので、雌端子３を端子収容室５に挿入する際に、押圧片２８が端子収容室５の内面などに引っ掛かることを防止できる。このため、雌端子３を容易にコネクタハウジング２内に挿入できる。
【００７２】
雌端子３の導入片１８間の間隔Ｄ１が雄タブ２４の厚みＴ１と等しいので、雌端子３の内側接触部１５内に侵入した雄タブ２４が、雌端子３に対して移動することが確実に規制される。
【００７３】
さらに、雄タブ２４が弾性変形自在であるので、雌端子３をコネクタハウジング２に移動することなく固定して、部材間に公差が生じても、雄タブ２４を雌端子３の電気接触部１１の筒部３２内に確実に挿入でき、雄端子２３と雌端子３とを確実に接続できる。
【００７４】
前述した実施形態では、押圧片２８を外側押圧部材１６の筒状部２７の底板２９と天井板３１との双方に設けている。しかしながら、本発明では、図１０ないし図１２に示すように、押圧片２８を外側押圧部材１６の筒状部２７の一対の側板３０に設けても良い。なお、図１０ないし図１２において、前述した実施形態と同一部分には、同一符号を付して説明を省略する。
【００７５】
この場合においても、雌端子３は、図１０に示すように、電線接続部１０と電気接触部１１とを備え、電気接触部１１が、内側接触部１５と外側押圧部材１６とを備えている。
【００７６】
また、押圧片２８の長手方向は、図１１及び図１２に示すように、前述した奥行き方向Ｙ即ち雄タブ２４と端子収容室５の長手方向と平行に配されている。さらに、一対の押圧片２８の外表面間の間隔Ｄ４即ち雌端子３の幅方向Ｘの幅Ｄ４は、端子収容室５の幅方向Ｘの寸法即ち幅Ｔ３より若干大きい。さらに、一対の押圧片２８は、雄タブ２４即ち端子収容室５の長手方向に直交する幅方向Ｘに沿って、接触凸部２６と並設されているとともに、互いの間に接触凸部２６を位置付けている。
【００７７】
これら図１０ないし図１２に示す場合においても、前述した実施形態と同様に、雌端子３を端子収容室５内に挿入すると、押圧片２８は、互いに近づく方向に弾性変形して、雄タブ２４即ち端子収容室５の長手方向に直交する方向に沿って、端子収容室５の内面を押圧する。
【００７８】
また、前述した図示例では、押圧片２８を一対設けている。しかしながら、本発明では、押圧片２８を少なくとも一つ備えていれば良い。要するに、本発明では、押圧片２８を底板２９と天井板３１と一対の側板３０とのうち少なくとも一つに設ければ良い。
【００７９】
また、押圧片２８と接点としての接触凸部２６とを、雄タブ２４即ち端子収容室５の長手方向に直交する方向に沿って、並設している。しかしながら、本発明では、押圧片２８と接点としての接触凸部２６とを、雄タブ２４即ち端子収容室５の長手方向に直交する方向に沿って、並設しなくても良い。
【００８０】
さらに、押圧片２８の両端を筒状部２７に連ねることなく、押圧片２８の一端を筒状部２７に連ねても良い。要するに、押圧片２８を片持ちにしても良い。また、押圧片２８の長手方向を、雄タブ２４即ち端子収容室５の長手方向に交差させても良い。
【００８１】
なお、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００８２】
【図１】本発明の一実施形態にかかるコネクタの分解斜視図である。
【図２】図１に示されたコネクタの雌端子の分解斜視図である。
【図３】図２に示された雌端子と相手側の端子金具としての雄端子とを示す斜視図である。
【図４】図３に示された雄端子の雄タブの側面図である。
【図５】図４中のＶ−Ｖ線に沿う断面図である。
【図６】図３中のＶＩ−ＶＩ線に沿う断面図である。
【図７】図１に示されたコネクタの雌端子とコネクタハウジングとを一部断面で示す斜視図である。
【図８】図７に示されたコネクタの雌端子とコネクタハウジングとの要部を示す断面図である。
【図９】図８に示された雌端子に雄端子の雄タブが侵入した状態を示す断面図である。
【図１０】図２に示された雌端子の変形例を示す斜視図である。
【図１１】図１０中のＸＩ−ＸＩ線に沿う断面図である。
【図１２】図２に示された雌端子を備えたコネクタの要部を示す断面図である。
【符号の説明】
【００８３】
１  コネクタ
２  コネクタハウジング
３  雌端子（雌型の端子金具）
５  端子収容室
１１  電気接触部
２３  雄端子（相手側の端子金具）
２４  雄タブ（挿入子）
２５  導入口
２６  接触凸部（接点）
２８  押圧片（押圧部）
３２  筒部
Ｔ１  雄タブの厚み（挿入子の厚み）
Ｄ１  導入片間の間隔（導入口の厚み）
Ｙ  奥行き方向（挿入子の長手方向）
Ｘ  幅方向（挿入子の長手方向に直交する方向）
Ｚ  幅方向（挿入子の長手方向に直交する方向）
【図１】
2006294513.tif 000003
【図２】
2006294513.tif 000004
【図３】
2006294513.tif 000005
【図４】
2006294513.tif 000006
【図５】
2006294513.tif 000007
【図６】
2006294513.tif 000008
【図７】
2006294513.tif 000009
【図８】
2006294513.tif 000010
【図９】
2006294513.tif 000011
【図１０】
2006294513.tif 000012
【図１１】
2006294513.tif 000013
【図１２】
2006294513.tif 000014